(57)【特許請求の範囲】
【請求項１】
ファン回転軸を中心に回転して気体の流れを発生させる、複数の翼を有するプロペラファンと、
該プロペラファンの回転方向に沿って、前記翼の外周端より外側に、前記ファン回転軸方向と垂直な方向から見て前記翼の一部と重なるように壁面を形成し、前記気体を整流するためのベルマウスとを備え、
前記プロペラファンの回転方向に対する空気の流れにおける前記翼の前縁の最上流点が、前記翼において最も長い翼半径となる翼最外径よりも短い翼半径となる位置にあり、
ファン回転軸方向の気体の流れに対して上流側となる吸込み側において、前記プロペラファンと前記ベルマウスとが重なりを開始する点よりもさらに上流側の位置で、前記翼の縁が翼最外径となるようにし、
前記翼の後縁において、前記翼の前縁の最上流点の翼半径に対応する後縁基準点よりも長い翼半径となる部分が、前記後縁基準点よりも前記回転方向に対して後退する位置にあることを特徴とする送風機。
【請求項２】
前記翼の後縁において、前記後縁基準点よりも短い翼半径となる部分が、前記後縁基準点よりも前記回転方向に対する空気の流れの下流側となる位置にあることを特徴とする請求項１に記載の送風機。
【請求項３】
前記翼の前縁の最上流点から前記翼最外径となる点までの間の翼の前縁上に前縁変曲点を有し、
ファン回転軸方向から見たときの、前記翼の前縁の最上流点と回転中心と前記前縁変曲点とがなす角度に対する前記翼の前縁の最上流点と前記前縁変曲点との翼半径の変化の割合よりも、前記前縁変曲点と回転中心と前記翼最外径となる点とがなす角度に対する前記前縁変曲点と前記翼最外径となる点との翼半径の変化の割合の方が大きいことを特徴とする請求項１又は２に記載の送風機。
【請求項４】
前記後縁基準点から前記翼最外径となる点までの間の翼の後縁上に後縁変曲点を有し、
前記後縁変曲点と回転中心と前記翼最外径となる後縁端点とがなす角度に対する前記後縁変曲点と前記後縁端点との翼半径の変化の割合よりも、ファン回転軸方向から見たときの、前記後縁基準点と回転中心と前記後縁変曲点とがなす角度に対する前記後縁基準点と前記後縁変曲点との翼半径の変化の割合の方が大きいことを特徴とする請求項１〜３のいずれか一項に記載の送風機。
【請求項５】
ファン回転軸を含む面で前記翼を切った断面において、
ファン回転軸方向の気体の流れに対して下流側から上流側に向かって傾斜角度が変化する傾斜変曲点を、前記翼の前縁の最上流点における翼半径から前記翼最外径までの間に有することを特徴とする請求項１〜４のいずれか一項に記載の送風機。
【請求項６】
冷媒を圧縮する圧縮機と、
冷媒と空気との熱交換を行う室外熱交換器と、
該室外熱交換器に前記空気を通過させるための請求項１〜５のいずれかに記載の送風機と
を備えることを特徴とする室外機。
【請求項７】
熱交換対象と冷媒とを熱交換する複数の負荷側熱交換器及び該負荷側熱交換器に流入させる冷媒の流量を調整するための流量調整手段を有する負荷ユニットと、
請求項６に記載の室外機と
を配管接続して冷媒回路を構成することを特徴とする冷凍サイクル装置。
【発明の詳細な説明】
【技術分野】
【０００１】
この発明は送風機等に関するものである。特にプロペラファンの翼形状に関するものである。
【背景技術】
【０００２】
羽根（プロペラ）を有するプロペラファンを回転させて空気の流れを発生させ、送風（冷却、排熱等）を行う送風機（ファンユニット）がある。このようなプロペラファンを有する送風機は、空気調和装置の室外機（室外ユニット）、冷蔵庫、換気扇、コンピュータ等の冷却装置等、幅広い分野で使われている。
【０００３】
例えば、空気調和装置の室外機では、内部の空間が圧縮機等を設置する機械室と、プロペラファンの駆動により送風機に吸入される空気が流れる送風室とに分かれる。例えば、圧縮機等が大型になって機械室が大きくなることで、機械室と送風室とを仕切る位置によっては、送風室における空気の流れがファンの回転中心側に向かい、プロペラファンの外周側に流れが供給されなくなる場合がある。ここで、外周側を通過する空気ほど、プロペラファンが空気に与える力のモーメントが強くなり、仕事量が増えるため、ファンの回転数を少なくし、また、騒音を抑えるには外周側に空気を通過させる方がよい。
【０００４】
そこで、ファンの回転中心側に流入する空気を、外周側を通過させるようにするため、前縁から、ベルマウスとプロペラファンとがラップする（重なり合う）ベルマウス上流端に向けて、翼半径を徐々に大きくし、ファン中心に向かう気流に対し、側面からの吸込み量を確保している送風機が提案されている（例えば、特許文献１参照）。一方、前縁部の翼半径を小さくし、後縁に凹部を設けて最外周部を一部延長する送風機も提案されている（例えば、特許文献２参照）。
【先行技術文献】
【特許文献】
【０００５】
【特許文献１】特開２００４−１０１１５４号公報（図１）
【特許文献２】特開２００５−１４００８１号公報（図１）
【発明の概要】
【発明が解決しようとする課題】
【０００６】
例えば特許文献１の送風機では、前縁のファン径を小さくすれば、中心に偏る吸込み気流を吸い込みやすくすることができるとともに、気流が流れない外側に翼面を配置しないため、滞留する空気をかき混ぜることによる乱れを誘発することがなくなる。ただ、プロペラファンとベルマウスとが軸方向に重なるラップが開始される上流端までファン径を徐々に増加させると、ベルマウスによる流路縮小及びファン径拡大による流路縮小により、風速が急変化して渦が発生し、乱れた流れが生じる。翼とベルマウスとに乱れた流れが衝突すると壁面の圧力変動を発生させて騒音発生の原因となる。さらに前縁の翼半径が小さくなり、翼面積が減少するため、所要送風量を得るためには、回転数を増加させる必要があり、風切り回数を増やしてさらに騒音を増加させるおそれがある。
【０００７】
また、例えば特許文献２について、外周部後縁を一部延長しているが、内周側の後縁部に凹部を設けることにより翼面積が減少している。このため、所要送風量を得るために回転数を増加させなければならず、騒音を増加させるおそれがある。
【０００８】
そこで、本発明は気流の乱れを防ぎつつ、送風量に対する回転数を抑えた駆動を行うことができる送風機等を得ることを目的とする。
【課題を解決するための手段】
【０００９】
本発明は、上記の課題を解決するために、ファン回転軸を中心に回転して気体の流れを発生させる、複数の翼を有するプロペラファンと、プロペラファンの回転方向に沿って、翼の外周端より外側に、ファン回転軸方向と垂直な方向から見て翼の一部と重なるように壁面を形成し、気体を整流するためのベルマウスとを備え、プロペラファンの回転方向に対する空気の流れにおける翼の前縁の最上流点が、翼において最も長い翼半径となる翼最外径よりも短い翼半径となる位置にあり、ファン回転軸方向の気体の流れに対して上流側となる吸込み側において、プロペラファンとベルマウスとが重なりを開始する点よりもさらに上流側の位置で、翼の縁が翼最外径となるようなプロペラファンとベルマウスとの位置関係とし、翼の後縁において、翼の前縁の最上流点の翼半径に対応する後縁基準点よりも長い翼半径となる部分が、後縁基準点よりも回転方向に対して後退する（空気の流れの下流側となる）位置にあるものである。
【発明の効果】
【００１０】
本発明のプロペラファンでは、ファン中央に偏る流れを吸い込みやすいだけではなく、ファン外周部とベルマウスとが重なり合う場所で流路が急縮小せず、隙間に乱れた流れを発生させない。その結果、ファンとベルマウス表面で発生する圧力変動を抑制することができる。また、翼後縁を回転方向に対して後退させる、すなわち翼長さを伸ばしているため、前縁で翼半径が小さくなり面積が小さくなった分に対する仕事量を補うことができるため、必要仕事を得るために回転数を増加させる必要がない。以上のことから、送風機から発生する騒音を低減させることができる。
【図面の簡単な説明】
【００１１】
【図１】本発明の実施の形態１に係る送風機のプロペラファン１を正面側から見た図である。
【図２】本発明の実施の形態１に係る送風機を正面側から見た図である。
【図３】本発明の実施の形態１に係る送風機を側面側から見た図である。
【図４】本実施の形態の送風機を有する室外機を示す図である。
【図５】送風室に流入する空気の流れを説明するための図である。
【図６】本発明の実施の形態１に係る送風機における空気の流れを示す模式図である。
【図７】本発明の実施の形態１に係る翼面における空気の流れを示す模式図である。
【図８】本発明の実施の形態２に係る送風機の正面側から見た図である。
【図９】本発明の実施の形態２に係る送風機を側面側から見た図である。
【図１０】本発明の実施の形態３に係る送風機の正面側から見た図である。
【図１１】本発明の実施の形態４に係る送風機の正面側から見た図である。
【図１２】本発明の実施の形態４に係る送風機を側面側から見た図である。
【図１３】本発明の実施の形態５に係る室外機を示す図である。
【図１４】ファン回転軸９を含む室外機の断面を示す図である。
【図１５】本発明の実施の形態６に係る空気調和装置の構成図である。
【発明を実施するための形態】
【００１２】
実施の形態１．
図１は本発明の実施の形態１に係る送風機のプロペラファン１を正面側から見た図である。プロペラファン１の回転によって空気が流れる方向について、下流側となる面を正面とする。本実施の形態１のプロペラファン１は、ボス（円柱）２の周りに放射状に翼３を複数枚（本実施の形態では３枚）を取り付けて構成している。
【００１３】
図２は本発明の実施の形態１に係る送風機を正面側から見た図である。ここでは、プロペラファン１とベルマウス７との関係等を簡単に示すため、プロペラファン１及びベルマウス７のみ図示する。プロペラファン１はファン回転軸９を中心に回転方向１３に回転する。また、回転中心１２はファン回転軸９がプロペラファン１を貫く位置（ボス２の中心）となる。翼３は、ファン回転軸９を中心に、同間隔で放射状に取り付けられている。ここで、翼３のボス付け根１４から回転方向端部までを前縁１５、逆側を後縁１６とし、半径外周部分を外周部１７とする。また、翼３の外周周り（全周）には、プロペラファン１の一部を覆うようにベルマウス７が配置される。
【００１４】
図２に示す破線は、プロペラファン１の回転中心１２を中心とする同心円上の線を補助線として示したものである。破線Ａは翼最外径Ｒｏを翼半径とする線である。また、破線Ｂは翼最外径よりも小さいＲｉ（＜Ｒｏ）を翼半径とする線である。ここでは、前縁１５において、回転方向１３における空気の流れに対して最上流に位置する点（前縁最上流点）１８の翼半径（前縁最上流点と回転中心１２との距離）がＲｉであるものとする。
【００１５】
本実施の形態におけるプロペラファン１の翼３においては、前縁最上流点１８から回転方向１３において後退する方向に外周部１７形状を辿ると、翼半径は破線Ｂから破線Ａに向かって徐々に大きくなっていく。そして、破線Ａの翼半径（翼最外径）を保ったまま後縁１６まで続く。図２において、後縁１６と破線Ｂとの交点１９（後縁１６において回転中心１２からの距離がＲｉとなる点。以下、後縁基準点という）よりも外周側の後縁（後縁外周部）２０ａ及び内周側の後縁（後縁内周部）２０ｂが回転方向１３に対して後退している。ここで、回転中心１２と翼面のある位置とを結ぶ線分において、ある線分に対して比較対象となる別の線分が回転方向１３（翼３の進む方向）側に位置しているとき別の線分に係る位置は前進しているといい、回転方向１３と逆向きの場合を後退していると表現している。後縁１６においては、回転中心１２と後縁基準点１９とを結ぶ線分よりも、回転中心１２と後縁外周部２０ａ、後縁内周部２０ｂ上の点とを結ぶ線分の方が後退している。このため、後縁基準点１９は回転方向１３における空気の流れに対して最上流に位置する最上流点となる。
【００１６】
図３は本発明の実施の形態１に係る送風機を側面側から見た図である。図３はファン回転軸９を含み、軸に平行な断面に翼３を１回転させて投影したときに得られる図であり、ファン回転軸９方向の位置を把握するため、３次元の翼面を２次元断面として表した子午面図である。気流１０はプロペラファン１の回転により流れる空気を表す。
【００１７】
前述したように、前縁１５の前縁最上流点１８と回転中心１２との距離は翼半径Ｒｉであり、下流に進むにつれて翼半径は翼最外径Ｒｏまで大きくなる。図３においてベルマウス７は断面形状で表している。側面側から見たときにプロペラファン１とベルマウス７とがラップする（重なり合う）ラップ領域２１のファン回転軸９方向に対する上流側を、ラップ開始点２２とする。本実施の形態のプロペラファン１においては、翼半径が翼最外径Ｒｏとなる端点２３は、ラップ開始点２２よりもファン回転軸９方向の空気の流れに対して上流側に位置する。
【００１８】
図４は本実施の形態の送風機を有する室外機を示す図である。本実施の形態においては、例えば空気調和装置の室外機１００について説明する。図４（ａ）は室外機１００の外観を示す図である。また、図４（ｂ）、図４（ｃ）は、それぞれ正面側、背面側から見た内部構成を説明するための図である。室外機１００内部の空間は、セパレータ（仕切り板）６により、フィンとパイプ（伝熱管）とを有する室外熱交換器４に空気を通過させるための送風室と、室外熱交換器４に冷媒を送る圧縮機５が置かれた機械室とに分かれる。例えば、図４（ｃ）に示すように、プロペラファン１の外周を囲むように配置されるベルマウス７の吹出し側開口部分と外パネル８の開口部分とが連続し、ベルマウス７と外パネル８とが一体形成されている室外機もある。前述したように、プロペラファン１とベルマウス７とはラップ領域２１で重なっており、ベルマウス７の内周側にあるプロペラファン１は、室外機１００内外（送風室内外、ファンの吸込み側と吹出し側との間）を仕切っている。
【００１９】
図５は送風室に流入する空気の流れを説明するための図である。次に室外機１００を上面側から見たときのファン回転軸９を含む水平断面図により空気の流れを説明する。ここでは、プロペラファン１に対して、ファン回転軸９方向の空気の流れの上流側（吸込み側）の気流のうち、機械室に近い側を通過する気流１０に着目する。気流１０は、プロペラファン１に対してファン回転軸９方向の上流側にある室外熱交換器４を通過し、セパレータ６に沿ってプロペラファン１に流入する。例えば機器の能力が高く圧縮機５が大型になると、機械室の容積が多くなり、送風室側にセパレータ６の角部１１が急になる。すると、角部１１において、空気がセパレータ６の壁面を沿いきれずに離脱（はく離）してしまうことがある。離脱した空気の流れはプロペラファン１の中心（回転軸）側に向かう。このため、プロペラファン１に流入する空気は、中心側に偏り、プロペラファン１の外周側に流れが供給されなくなる。
【００２０】
ここで、プロペラファン１が空気に与える仕事は、外周側を通過する空気ほど、力のモーメントが強くなるため大きくなる。このため、ある室外機風路の抵抗に打ち勝つ分の空気に与える必要エネルギーを考えると、外周側を通過させたほうがプロペラファン１の回転数を少なく抑えることができる。また、回転数が少なくなると翼３が空気を切る干渉回数が減少して騒音を抑えることができる。したがって、気流１０がプロペラファン１の中心側に流入すると、プロペラファンが空気に与える仕事量が低下する。その分、必要回転数が多くなり、騒音を大きくする恐れがある。
【００２１】
本実施の形態の送風機では、空気調和機のセパレータ６で発生するはく離により主流が中心側に偏った空気が前縁１５側から流入する。翼３の前縁最上流点１８は、吸込み気流が中心側に寄る流れ場に合わせて、翼最外径よりも内周側に位置している。翼面上を通過する気流１０は遠心力によって、徐々に外周側に向かって流れが広がる。本実施の形態のプロペラファン１は翼外径を下流方向に向かって大きくした形状であるため、遠心力で外周部に向かう気流１０が翼３から漏れることなく、翼３から気流１０に与える仕事量を確保することができる。
【００２２】
図６は本発明の実施の形態１に係る送風機における空気の流れを示す模式図である。ここで、図６（ａ）は本実施の形態におけるプロペラファン１とベルマウス７との位置関係を表している。また、図６（ｂ）は比較のために従来のプロペラファンとベルマウスとの位置関係を表している。ここでは、外周部近くの空気流れ２４を考える。例えば、プロペラファン１とベルマウス７とがラップするラップ開始点においては、空気の流路が狭くなる縮小風路になる。図６（ｂ）に示すように、ラップ開始点２２において、翼外径が翼最外径まで増加する（変動する）ようなプロペラファンとベルマウスとの位置関係だと、プロペラファン１とベルマウス７とに挟まれた隙間は、プロペラファンとベルマウスとの両側から縮小されるため、風路が急縮小する。急縮小した風路では気流が増速し、ベルマウス表面の低速気流との速度差によって渦２５が発生する。渦２５が発生すると翼面とベルマウス表面で気流の乱れが強くなり、強い圧力変動を発生させ、騒音を増加させる。
【００２３】
本実施の形態の送風機においては、翼半径が翼最外径Ｒｏとなる端点２３が、ベルマウス７とのラップ開始点２２よりも、ファン回転軸９方向の空気の流れに対して上流側に位置する。このため、ラップ開始点２２では翼半径が変動せず、隙間の流路縮小が片側のみ（ベルマウス７側からのみ）になる。したがって、従来の送風機に比べて流路幅の変化率が小さくなる。その結果、縮小時に発生する渦を抑制することで、翼３表面やベルマウス７表面で発生する圧力変動を抑制することができ、また、騒音を低減させることができる。
【００２４】
図７は本発明の実施の形態１に係る翼面における空気の流れを示す模式図である。図７に示すように、プロペラファン１の翼３を通過する気流２６は、遠心力の影響により、モーメントが大きく気流に与える仕事量が大きい外周側へ移動するように流れる。例えば翼３の前縁最上流点１８において流入した気流２６は後縁外周部２０ａから流出する。本実施の形態の送風機では、プロペラファン１の後縁１６側は後縁基準点１９より回転方向１３に後退している。このため、気流２６にはモーメントが大きい経路を長く通過させることができる。径が小さい場合でも不足する仕事量を補うことができる。また、後縁内周部２０ｂについても、後縁基準点１９より回転方向１３に後退するようにして翼面積を保つようにしている。
【００２５】
以上のように、本実施の形態の送風機によれば、プロペラファン１において、前縁最上流点１８が、吸込み気流が中心側に寄る空気の流れ場に合わせて翼最外径よりも内周側に位置しているので、ファン中央に偏る流れを吸い込みやすくすることができる。さらに、プロペラファン１の一部とベルマウス７とのラップ領域２１よりもファン回転軸９方向の空気の流れに対して上流側において翼３が翼最外径となるような位置関係としているので、プロペラファン１とベルマウス７と隙間の流路縮小がベルマウス７側からのみとなり、縮小時に発生する渦２５を抑制することができ、翼３表面やベルマウス７表面で発生する圧力変動を抑制することができる。また、翼３の後縁１６において後縁基準点１９より翼半径が大きい部分は回転方向に対して後退させ、下流側に後縁１６が伸びるようにしているため、前縁１５の翼半径が小さく、面積が小さくなった分に対する仕事量を補い、送風量を確保することができる。このため、必要仕事を得るために回転数を増加させる必要がない。以上のことから、送風量に対して回転数を抑えることができ、省エネルギー化をはかることができる。そして、送風機から発生する騒音を低減させることができ、室外機１００から発生する騒音を低減させることができる。
【００２６】
実施の形態２．
図８は本発明の実施の形態２に係るプロペラファン１を正面側から見た図である。図８では１枚の翼３を拡大して示している。翼３の半径について、前縁１５の前縁最上流点１８の半径Ｒｉと翼最外径Ｒｏとの間の任意の半径Ｒｉ２を定義し、ＲｉとＲｉ２との区間と、半径Ｒｉ２と翼最外径Ｒｏとの区間に区切り、境界となる前縁１５上の位置を前縁変曲点１５ａとして定義する。ここで、翼最外径Ｒｏ付近で翼端の丸み付けをする場合は、回転方向１３に対して最も後退する位置における位置が翼最外径Ｒｏの位置であると定め、翼最外径開始点２７とする。
【００２７】
本実施の形態では、前縁１５における翼半径の増加率（回転方向１３に単位角度Δθ後退するときの半径変化ΔＲの比（割合）ΔＲ／Δθと定義する）に着目する。図８に示すプロペラファン１における翼３の形状は、ＲｉからＲｉ２までの半径増加率（ΔＲ１／Δθ１；ΔＲ＝Ｒｉ２−Ｒｉ）よりも、Ｒｉ２から翼最外径Ｒｏまでの半径増加率（ΔＲ２／Δθ２；ΔＲ＝Ｒｏ−Ｒｉ２）が小さい。ここで、Δθ１は前縁最上流点１８と回転中心１２と前縁変曲点１５ａとがなす角度である。また、Δθ２は前縁変曲点１５ａと回転中心１２と翼最外径開始点２７とがなす角度である。
【００２８】
図９は本発明の実施の形態２に係る送風機を側面側から見た図である。図９は３次元の翼面を２次元断面として表した子午面図である。図９に示すように、ファン回転軸９の方向に対するプロペラファン１とベルマウス隙間の縮小程度が半径ＲｉとＲｉ２との間の区間よりも、翼半径Ｒｉ２と翼最外径Ｒｏとの間の区間で緩やかになる。
【００２９】
以上のように、実施の形態２の送風機によれば、翼半径Ｒｉから下流に進むにつれ、前縁変曲点１５ａを境として、２段階で翼最外径Ｒｏまで大きくなるようにしたので、プロペラファン１とベルマウス７とが接近する外周部において、風路縮小を緩やかにすることができ、急縮小による渦発生をさらに抑制することができる。
【００３０】
実施の形態３．
図１０は本発明の実施の形態３に係る送風機のプロペラファン１を正面側から見た図である。図１０では１枚の翼３を拡大して示している。本実施の形態では、翼３の半径について、前縁１５の前縁最上流点１８の半径Ｒｉと翼最外径Ｒｏとの間の任意の半径Ｒｉ３を定義し、ＲｉとＲｉ３との区間と、半径Ｒｉ３と翼最外径Ｒｏとの区間に区切り、境界となる後縁１６上の位置を後縁変曲点１６ａとして定義する。
【００３１】
本実施の形態では、後縁１６の翼半径の増加率（回転方向に単位角度Δθ後退するときの半径変化ΔＲの比ΔＲ／Δθと定義する）に着目する。本実施の形態のプロペラファン１はＲｉからＲｉ３までの半径増加率（ΔＲ３／Δθ３）が、ｉ２から翼最外径Ｒｏまでの半径増加率（ΔＲ４／Δθ４）よりも小さい。これは、半径Ｒｉ以上の回転方向に後退する後縁部１６の翼面積が領域が広いことを意味する。ここで、Δθ３は後縁基準点１９と回転中心１２と後縁変曲点１６ａとがなす角度である。また、Δθ４は後縁変曲点１６ａと回転中心１２と後縁端点１６ｂとがなす角度である。
【００３２】
例えば、翼３に流入した気流は遠心力により、外周側に向かって翼面上を流れる。上記のような翼形状にすれば、気流が外周側に通過する経路が増えるため、気流がプロペラファン１から得る仕事量が増加する。
【００３３】
実施の形態４．
図１１は本発明の実施の形態４に係る送風機のプロペラファン１を正面側から見た図である。図１１において、前述した翼最外径開始点２７は、外周部１７において、回転方向１３の空気の流れに対して最も上流側で翼最外径Ｒｏとなる。
【００３４】
図１２は本発明の実施の形態４に係るプロペラファン１を側面側から見た図である。図１２は、前縁最上流点１８から翼最外径開始点２７までの外周部１７の一部である外周部分２８における断面形状をファン回転軸９を含めて示している。本実施の形態の送風機では、翼半径が、プロペラファン１の前縁最上流点１８が位置する半径Ｒｉから翼最外径Ｒｏとなる翼最外径開始点２７までの間で、翼断面において、ファン回転軸９方向における傾斜３１の角度が変化する傾斜変曲点３２を設けていることを特徴とする。傾斜変曲点３２は側面側からみた断面形状では点となるが、翼３においては傾斜変曲点３２が連続しているために線状となる。
【００３５】
前縁最上流点１８から流入した気流は、遠心力の影響により半径外向きに流れる。ここで、プロペラファン１では、空気（気流１０）の流入側となる、回転方向１３における空気の流れに対して上流側における部分は径が小さいため、翼先端の気流は翼３から漏れやすい。例えば、翼面の下流側の面２９（圧力面２９）と上流側の面（負圧面３０）との差圧が高くなると、ファン回転軸９方向の空気の流れに対して下流側から上流側に巻き込む強い渦を発生させて翼面で発生する騒音の原因となる。
【００３６】
そこで、本実施の形態のプロペラファン１は、翼半径がＲｉから翼最外径Ｒｏまで変化する外周部分２８までの間の傾斜変曲点３２を境に、ファン回転軸９方向の空気の流れに対して下流側から上流側に向かって（圧力面２９から負圧面３０に向かって）、傾斜３１の角度が、傾斜３１ａから傾斜３１ｂとなるように変化させた翼３を形成する。このため、外周部分２８における気流１０の逆流を許すことになるが、圧力面２９と負圧面３０との圧力差を緩和して漏れ流れが発生しても強い渦が発生しないようにすることができる。
【００３７】
したがって、実施の形態４の送風機では、前縁１５側で発生する渦が原因となる乱れ、騒音増加を抑制することができる。
【００３８】
実施の形態５．
図１３は本発明の実施の形態５に係る室外機１００を示す図である。上述したこれまでの実施の形態では、水平方向に空気を吹出す室外機について説明したが、これに限定するものではない。例えばビル用の大型空気調和機の室外機のように、上向きに空気を吹出す（上吹き）室外機についても適用することができる。図１５に示すように、本実施の形態の室外機１００は、プロペラファン１の正面が略鉛直方向上向きとなるように取り付けられ、室外熱交換器４と外パネル８とで室外機側面を覆う。
【００３９】
図１４はファン回転軸９を含む室外機１００の断面を示す図である。気流１０は、室外熱交換器４を通過してプロペラファン１に流入する。室外熱交換器４を通過中の気流１０は通風抵抗が最小となるように進むため、室外熱交換器４を通過直後の気流はファン回転軸９側から流入する。気流１０がファン外周側に急に曲がって流れることは困難であるため、本実施の形態の室外機１００においてもプロペラファン１の吸込み気流が中心に偏流する。このため、上述した実施の形態１〜４のプロペラファン１を上吹きの室外機に適用することで、上述した効果と同様の効果を得ることができる。
【００４０】
実施の形態６．
図１５は本発明の実施の形態６に係る空気調和装置の構成図である。本実施の形態では、上述した室外機１００を有する冷凍サイクル装置の一例として空気調和装置について説明する。図１５の空気調和装置は、前述した室外機１００と負荷ユニット（室内機）２００とを備え、これらが冷媒配管で連結され、冷媒回路を構成して冷媒を循環させている。冷媒配管のうち、気体の冷媒（ガス冷媒）が流れる配管をガス配管３００とし、液体の冷媒（液冷媒。気液二相冷媒の場合もある）が流れる配管を液配管４００とする。
【００４１】
室外機１００は、上述の実施の形態１〜５で説明した室外機であり、圧縮機５、室外熱交換器４、四方弁１０２、室外側送風機１０４及び室外側制御装置１０５の各装置（手段）で構成する。
【００４２】
圧縮機５は、前述したように、吸入した冷媒を圧縮して吐出する。また、室外熱交換器４は、前述したように、冷媒と空気（室外の空気）との熱交換を行う。ここで、本実施の形態の室外熱交換器４は、例えば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機５において圧縮された冷媒と空気との熱交換を行い、冷媒を凝縮して液化させる。また、室外熱交換器４には、冷媒と空気との熱交換を効率よく行うため、上述の実施の形態１〜５で説明した送風機を室外側送風機１０４として設けている。ここで、室外側送風機１０４についても、インバータ装置によりファンモータの運転周波数を任意に変化させてプロペラファン１の回転速度を細かく変化させるようにしてもよい。
【００４３】
四方弁１０２は、室外側制御装置１０５からの指示に基づいて冷房運転時と暖房運転時とによって冷媒の流れを切り換える。また、室外側制御装置１０５は、例えばマイクロコンピュータ等からなる。負荷側制御装置２０４と有線又は無線通信することができ、例えば、空気調和装置内の各種検知手段（センサ）の検知に係るデータに基づいて、インバータ回路制御による圧縮機５の運転周波数制御等、空気調和装置に係る各手段を制御して空気調和装置全体の動作制御を行う。
【００４４】
一方、負荷ユニット２００は、負荷側熱交換器２０１、負荷側絞り装置（膨張弁）２０２、負荷側送風機２０３及び負荷側制御装置２０４で構成される。負荷側熱交換器２０１は冷媒と空気との熱交換を行う。例えば、暖房運転時においては凝縮器として機能し、ガス配管３００から流入した冷媒と空気との熱交換を行い、冷媒を凝縮させて液化（又は気液二相化）させ、液配管４００側に流出させる。一方、冷房運転時においては蒸発器として機能し、負荷側絞り装置２０２により低圧状態にされた冷媒と空気との熱交換を行い、冷媒に空気の熱を奪わせて蒸発させて気化させ、ガス配管３００側に流出させる。また、負荷ユニット２００には、熱交換を行う空気の流れを調整するための負荷側送風機２０３が設けられている。この負荷側送風機２０３の運転速度は、例えば利用者の設定により決定される。負荷側絞り装置２０２は、開度を変化させることで、負荷側熱交換器２０１内における冷媒の圧力を調整するために設ける。
【００４５】
また、負荷側制御装置２０４もマイクロコンピュータ等からなり、例えば室外側制御装置１０５と有線又は無線通信することができる。室外側制御装置１０５からの指示、居住者等からの指示に基づいて、例えば室内が所定の温度となるように、負荷ユニット２００の各装置（手段）を制御する。また、負荷ユニット２００に設けられた検知手段の検知に係るデータを含む信号を送信する。
【００４６】
以上のように実施の形態６の空気調和装置では、実施の形態１〜５において説明した送風機を室外側送風機１０４として室外機１００に用いることで、室外機１００の省エネルギー化をはかり、また、騒音を抑制することができる。
【産業上の利用可能性】
【００４７】
本発明の活用例として、冷凍サイクル装置を構成する室外機、例えば給湯器などの室外機、その他、送風機が設置される各種装置や設備などに広く利用することができる。
【符号の説明】
【００４８】
１  プロペラファン、２  ボス、３  翼、４  室外熱交換器、５  圧縮機、６  セパレータ、７  ベルマウス、８  外パネル、９  ファン回転軸、１０  気流、１１  角部、１２  回転中心、１３  回転方向、１４  ボス付け根、１５  前縁、１５ａ  前縁変曲点、１６  後縁、１６ａ  後縁変曲点、１６ｂ  後縁端点、１７  外周部、１８  前縁最上流点、１９  後縁基準点、２０ａ  後縁外周部、２０ｂ  後縁内周部、２１  ラップ領域、２２  ラップ開始点、２３  端点、２４  空気流れ、２５  渦、２６  気流、２７  翼最外径開始点、２８  外周部分、２９  圧力面、３０  負圧面、３１，３１ａ，３１ｂ  傾斜、３２  傾斜変曲点、１００  室外機、１０２  四方弁、１０４  室外側送風機、１０５  室外側制御装置、２００  負荷ユニット、２０１  負荷側熱交換器、２０２  負荷側絞り装置、２０３  負荷側送風機、２０４  負荷側制御装置、３００  ガス配管、４００  液配管。
【図１】
0005460750.tif 000002
【図２】
0005460750.tif 000003
【図３】
0005460750.tif 000004
【図４】
0005460750.tif 000005
【図５】
0005460750.tif 000006
【図６】
0005460750.tif 000007
【図７】
0005460750.tif 000008
【図８】
0005460750.tif 000009
【図９】
0005460750.tif 000010
【図１０】
0005460750.tif 000011
【図１１】
0005460750.tif 000012
【図１２】
0005460750.tif 000013
【図１３】
0005460750.tif 000014
【図１４】
0005460750.tif 000015
【図１５】
0005460750.tif 000016